(57)【要約】【課題】放送番組で生の声の投稿データを使用する際、準備作業軽減、放送事故防止、操作性改善を図り、小規模放送局でも容易に採用できる放送番組編集装置の提供。【解決手段】右側に利用可能データ表示用区画５１、左側にキューシート作成用区画５２，５３、中央領域に、上から定型素材表示用区画５６、ダウンロード用区画５４、一時保管用区画５５、送出済みデータ保管区画５７を表示し、マウス４２による図形シンボルの移動によって音声メッセージの投稿データ１１を素材とするキューシート３０を作成するラジオ番組編集装置であって、キューシート作成用区画５２，５３に対してはみ出すことなく並べられた図形シンボルで特定される投稿データを送出用素材３１として認識し、当該図形シンボルの上辺の高さにより送出順序を決定すると共に、キューシート作成用区画内の各送出用素材の放送時間の総和を算出し、表示する。【選択図】  図２
2007251829.tif 000002
【特許請求の範囲】
【請求項１】
視聴者等から投稿された音声を含む投稿データを記憶した投稿フォルダを有するサーバから、ネットワークを介して前記投稿データをダウンロードし、該ダウンロードした投稿データを送出用素材とする放送番組のキューシートを作成するためのクライアント端末であって、以下の構成を備えていることを特徴とする放送番組編集装置。
（１−１）当該放送番組編集装置の備えているディスプレイ装置に、少なくとも以下の４種の区画を同時に表示する区画表示手段を備えていること。
（ａ）前記ディスプレイ装置の表示領域の左右又は上下いずれか側の領域に設定され、前記サーバからダウンロードすることが可能な前記投稿データを個別に特定するための図形シンボルを表示する利用可能データ表示用区画。
（ｂ）前記ディスプレイ装置の表示領域において前記利用可能データ表示用区画と反対側の領域に設定され、前記図形シンボルを複数個並べたときの配置状態によってキューシートを作成するためのキューシート作成用区画。
（ｃ）前記利用可能データ表示用区画と前記キューシート作成用区画との中間領域に設定され、前記図形シンボルを置くことによって、該図形シンボルによって特定される投稿データを前記サーバからダウンロードするためのダウンロード用区画。
（ｄ）前記利用可能データ表示用区画と前記キューシート作成用区画との中間領域の前記ダウンロード用区画以外の領域に設定され、前記ダウンロードの完了した投稿データを個別に特定するための図形シンボルを一時保管しておく一時保管用区画。
（１−２）前記サーバの前記投稿フォルダ内に記憶されている投稿データの全部又は一部について、各投稿データを個別に特定するための図形シンボルを、前記利用可能データ表示用区画からはみ出さない様に表示する利用可能データ表示手段を備えていること。
（１−３）前記ディスプレイ装置の表示領域内で、前記投稿データを個別に特定するための図形シンボルの位置を移動させるシンボル移動手段を備えていること。
（１−４）前記シンボル移動手段によって、前記ダウンロード用区画に対してはみ出すことなく置かれた前記図形シンボルによって個別に特定される投稿データを前記サーバからダウンロードするデータダウンロード手段を備えていること。
（１−５）前記ダウンロード手段によってダウンロードが完了していない投稿データを個別に特定するための図形シンボルについては、前記ダウンロード区画から移動することを禁止するダウンロード未済みデータ配置禁止手段を備えていること。
（１−６）前記シンボル移動手段によって、前記キューシート作成用区画に対してはみ出すことなく並べられた前記図形シンボルによって個別に特定される投稿データを前記送出用素材として認識する送出用素材認識手段を備えていること。
（１−７）前記送出用素材として認識された投稿データを個別に特定するための図形シンボルの所定の基準位置が前記キューシート作成用区画内でどの様な位置関係に並べられているのかに基づき、前記送出用素材の送出順序を決定する送出順序決定手段を備えていること。
（１−８）前記送出用素材として認識された個々の投稿データの放送時間の総和として総放送時間を算出し、前記表示装置の所定位置に表示する総放送時間算出・表示手段を備えていること。
【請求項２】
さらに、以下の構成をも備えていることを特徴とする請求項１記載の放送番組編集装置。
（２−１）放送番組において定型的に使用し得る定型素材を送出可能なデータとして記憶していること。
（２−２）前記区画表示手段は、前記ディスプレイ装置の前記表示領域内に、前記（ａ）〜（ｄ）の各区画と同時に、次の区画をも表示する手段として構成されていること。
（ｅ）前記利用可能データ表示用区画と前記キューシート作成用区画との中間領域の前記ダウンロード用区画及び前記一時保管用区画以外の位置に設定され、前記定型素材を個別に特定するための図形シンボルを表示する定型素材表示用区画。
（２−３）前記シンボル移動手段は、前記ディスプレイ装置の前記表示領域内で、前記定型素材を個別に特定するための図形シンボルの位置をも移動させ得る手段として構成されていること。
（２−４）前記送出用素材認識手段は、前記シンボル移動手段によって、前記キューシート作成用区画に対してはみ出すことなく並べられた図形シンボルによって個別に特定される定型素材をも前記送出用素材として認識する手段として構成されていること。
【請求項３】
さらに、以下の構成をも備えていることを特徴とする請求項２記載の放送番組編集装置。
（３−１）前記区画表示手段は、前記ディスプレイ装置の表示領域を左右に約３等分した領域の右側の領域に前記利用可能データ表示用区画を表示し、左側の領域に前記キューシート作成用区画を表示し、中央の領域のほぼ中央に前記ダウンロード用区画を表示し、該ダウンロード用区画の下方に前記一時保管用区画を表示し、前記ダウンロード用区画の上方に前記定型素材表示用区画を表示する手段として構成されていること。
（３−２）前記送出順序決定手段は、前記キューシート作成用区画内に並べられた各図形シンボルの上端の高さが上にあるものを先に送出する様に前記送出順序を決定する手段として構成されていること。
【請求項４】
さらに、以下の構成をも備えていることを特徴とする請求項３記載の放送番組編集装置。
（４−１）前記区画表示手段は、前記ディスプレイ装置の左側の領域に、複数のキューシート作成用区画を上下にずらして表示する手段として構成されていること。
（４−２）前記送出用素材認識手段、前記送出順序決定手段及び前記総放送時間算出・表示手段は、前記各キューシート作成用区画単位で、前記送出用素材の認識、前記送出順序の決定並びに前記総放送時間の算出及び表示を実行する手段として構成されていること。
【請求項５】
さらに、以下の構成をも備えていることを特徴とする請求項１〜４のいずれか記載の放送番組編集装置。
（５−１）前記図形シンボルが、前記シンボル移動手段によって移動されて前記ダウンロード用区画及び前記キューシート作成用区画に対して一部はみ出した状態のままで置かれたときは、該一部はみ出した図形シンボルを移動前の位置へと強制的に戻す強制戻し手段を備えていること。
【請求項６】
さらに、以下の構成をも備えていることを特徴とする請求項１〜５のいずれか記載の放送番組編集装置。
（６−１）前記利用可能データ表示用区画内で所定のポインティングデバイス操作をすることによって新着情報の確認指令を前記サーバに対して送信する新着情報確認指令手段を備えていること。
（６−２）前記新着情報確認指令を受信した前記サーバから新着情報ありの返信を受け取ったときに、該新着情報を特定するための図形シンボルを前記利用可能データ表示用区画に表示する新着情報特定シンボル表示手段を備えていること。
【請求項７】
さらに、以下の構成をも備えていることを特徴とする請求項６記載の放送番組編集装置。
（７−１）前記内容確認手段を用いた内容確認の結果に応じて、ダウンロードした個々の投稿データに対してその一部のみを送出対象とする送出範囲を指定する送出範囲指定手段を備えていること。
（７−２）前記送出様素材認識手段は、前記送出範囲指定手段によって送出範囲を指定された投稿データについては、当該指定された送出範囲内のデータを前記送出用素材として認識する手段として構成されていること。
（７−３）前記総放送時間算出・表示手段は、前記送出範囲指定手段によって送出範囲を指定された投稿データについては、当該指定された送出範囲内のデータの放送時間を採用して前記総放送時間を算出する手段として構成されていること。
【請求項８】
さらに、以下の構成をも備えていることを特徴とする請求項１〜７のいずれか記載の放送番組編集装置。
（８−１）前記ネットワークを介して、前記サーバの前記投稿フォルダに記憶されている投稿データのリストアップをするリストアップ手段を備えていること。
（８−２）前記リストアップ手段によってリストアップされた投稿データの内容を確認する投稿データ確認手段を備えていること。
（８−３）前記リストアップ手段によってリストアップされた投稿データに対して、前記放送番組のキューシート作成に利用可能か否かのチェックマークを付与するチェックマーク付与手段を備えていること。
（８−４）前記利用可能データ表示手段は、前記チェックマーク付与手段によって利用不可能とされた投稿データ以外の投稿データを個別に特定するための図形シンボルの全部又は一部を表示する手段として構成されていること。
【請求項９】
さらに、以下の構成をも備えていることを特徴とする請求項１〜８のいずれか記載の放送番組編集装置。
（９−１）前記キューシート作成用区画内で所定のポインティングデバイス操作をすることによって送出の開始を指令する送出開始指令手段を備えていること。
（９−２）前記キューシート作成用区画内で所定のポインティングデバイス操作をすることによって送出の中止又は中断を指令する中止・中断指令手段を備えていること。
（９−３）前記送出開始指令手段により送出開始が指令されたら、その時点で前記キューシート作成用区画に並べられている図形シンボルの配置から前記送出順序決定手段が決定する送出順序に従って、送出用素材を順次送出する送出実行手段を備えていること。
（９−４）前記中止・中断指令手段により送出の中止又は中断が指令されたら、その時点で送出開始時期に到っていない送出用素材については、前記送出実行手段による送出を開始しない様に制御する中止・中断実行手段を備えていること。
【請求項１０】
さらに、以下の構成をも備えていることを特徴とする請求項９記載の放送番組編集装置。
（１０−１）前記キューシート作成用区画内において、前記送出実行手段による送出が行われている最中の送出用素材よりも時系列において後となる順序に決定し得る位置については、新たな図形シンボルを追加し、又は既にある図形シンボルを撤去することを許可するシンボル追加・撤去許可手段を備えていること。
（１０−２）前記シンボル追加・撤去許可手段が作動して前記図形シンボルの追加又は撤去が実行されたときは、前記送出用素材認識手段、前記送出順序決定手段及び前記総放送時間算出・表示手段に、前記送出用素材の認識、前記送出順序の決定並びに前記総放送時間の算出及び表示の各処理を再度実行させるキューシート変更手段を備えていること。
【請求項１１】
コンピュータに以下の各処理ステップを実行させるためのコンピュータ可読形式の放送番組編集処理プログラム。
（１１−１）当該放送番組編集装置の備えているディスプレイ装置に、少なくとも以下の５種の区画を、前記ディスプレイ装置の表示領域を左右に約３等分した領域の右側の領域に下記（ａ）の利用可能データ表示用区画を、左側の領域に下記（ｂ）のキューシート作成用区画を、中央の領域のほぼ中央に下記（ｃ）のダウンロード用区画を、該ダウンロード用区画の下方に下記（ｄ）の一時保管用区画を、前記ダウンロード用区画の上方に下記（ｅ）の定型素材表示用区画を表示する区画表示ステップ。
（ａ）サーバからダウンロードすることが可能な前記投稿データを個別に特定するための図形シンボルを表示する利用可能データ表示用区画。
（ｂ）前記図形シンボルを複数個並べたときの配置状態によってキューシートを作成するための矩形形状を呈するキューシート作成用区画。
（ｃ）前記図形シンボルを置くことによって、該図形シンボルによって特定される投稿データを前記サーバからダウンロードするためのダウンロード用区画。
（ｄ）前記ダウンロードの完了した投稿データを個別に特定するための図形シンボルを一時保管しておく一時保管用区画。
（ｅ）放送番組において定型的に使用し得る定型素材を個別に特定するための図形シンボルを表示する定型素材表示用区画。
（１１−２）当該放送番組編集装置がネットワークを介して接続可能なサーバの内に記憶されている投稿データの全部又は一部について、各投稿データを個別に特定するための図形シンボルを、前記利用可能データ表示用区画からはみ出さない様に表示する利用可能データ表示ステップ。
（１１−３）当該放送番組編集装置が備えているマウス、トラックボール、ジョイスティック等のポインティングデバイスの操作に応じて、前記ディスプレイ装置の表示領域内で、前記投稿データ及び前記定型素材を個別に特定するための図形シンボルを移動させるシンボル移動ステップ。
（１１−４）前記ダウンロード用区画に対してはみ出すことなく置かれた前記図形シンボルによって個別に特定される投稿データを前記サーバからダウンロードするデータダウンロードステップ。
（１１−５）前記ダウンロードされた投稿データをオフラインで出力するオフライン出力ステップ。
（１１−６）放送番組において使用しないこととした投稿データを個別に特定するための図形シンボルを前記ディスプレイ装置に表示しない様にする不要シンボル非表示ステップ。
（１１−７）前記ダウンロードした個々の投稿データに対してその一部のみを送出対象とする送出範囲を指定する送出範囲指定ステップ。
（１１−８）前記ダウンロードが完了していない投稿データを個別に特定するための図形シンボルについては、前記ダウンロード区画から移動することを禁止するダウンロード未済みデータ配置禁止ステップ。
（１１−９）前記キューシート作成用区画に対してはみ出すことなく並べられた前記図形シンボルによって個別に特定される投稿データを前記送出用素材として認識する送出用素材認識ステップ。
（１１−１０）前記送出用素材として認識された投稿データを個別に特定するための図形シンボルの上端の高さが上にあるものを先に送出する様に送出順序を決定する送出順序決定ステップ。
（１１−１１）前記送出用素材として認識された個々の投稿データの放送時間の総和として総放送時間を、前記送出範囲の指定を考慮しつつ算出し、前記キューシート作成用区画の内部又は近傍の所定位置に表示する総放送時間算出・表示ステップ。
（１１−１２）前記図形シンボルが移動されてきて、前記ダウンロード用区画及び前記キューシート作成用区画に対して一部はみ出した状態のままで置かれたときは、該一部はみ出した図形シンボルを移動前の位置へと強制的に戻す強制戻しステップ。
（１１−１３）必要に応じて、前記一時保管用区画に移動した図形シンボルに対して、色による識別情報を付加する色識別情報付加ステップ。
（１１−１４）必要に応じて、前記キューシート作成用区画の前記矩形形状を伸縮する区画伸縮ステップ。
（１１−１５）前記区画伸縮ステップが実行されて前記矩形形状が伸縮されたときは、該伸縮後の矩形形状によって特定される区画を前記キューシート作成用区画内とする区画サイズ変更ステップ。
（１１−１６）前記キューシート作成用区画内でのポインティングデバイス操作によって送出開始が指令されたら、その時点で前記キューシート作成用区画に並べられている図形シンボルの配置から決定する送出順序に従って、送出用素材を順次送出する送出実行ステップ。
（１１−１７）前記キューシート作成用区画内でのポインティングデバイス操作によって送出中止又は送出中断が指令されたら、その時点で送出開始時期に到っていない送出用素材については、送出を開始しない様に制御する中止・中断ステップ。
（１１−１８）前記キューシート作成用区画内において、現在送出が行われている最中の送出用素材の図形シンボルよりも上端が下方となる位置については、新たな図形シンボルを追加し、又は既にある図形シンボルを撤去することを許可するシンボル追加・撤去許可ステップ。
（１１−１９）前記シンボル追加・撤去許可ステップにより許可されて前記図形シンボルの追加又は撤去が実行されたときは、前記送出用素材認識ステップ、前記送出順序決定ステップ及び前記総放送時間算出・表示ステップを再度実行させるキューシート変更ステップ。
（１１−２０）前記利用可能データ表示用区画内でのポインティングデバイス操作によって新着情報の確認指令を前記サーバに対して送信する新着情報確認指令ステップ。
（１１−２１）前記サーバから新着情報ありの返信を受け取ったときに、該新着情報を特定するための図形シンボルを前記利用可能データ表示用区画に表示する新着情報特定シンボル表示ステップ。
【請求項１２】
ネットワークを介して前記サーバに接続可能であると共に、請求項１１記載の放送番組編集処理プログラムがインストールされ、さらに以下のコンピュータ可読形式の編集前処理プログラムもインストールされている放送番組編集用可搬式コンピュータ。
（１２−１）前記ネットワークを介して、前記サーバの前記投稿フォルダに記憶されている投稿データのリストアップをするリストアップステップ。
（１２−２）前記リストアップステップによってリストアップされた投稿データをダウンロードしてオフライン出力する確認出力ステップ。
（１２−３）前記リストアップされた投稿データに対して、前記放送番組のキューシート作成に利用可能か否かのチェックマークを付与するチェックマーク付与ステップ。
（１２−４）前記投稿データを個別に特定する図形シンボルに対して、文字情報によるコメントを付加するコメント付加ステップ。
【発明の詳細な説明】
【技術分野】
【０００１】
本発明は、放送番組用のキューシートを作成するための技術に係り、特に、視聴者の投稿した音声付きの投稿データを用いて放送番組の全部又は一部を構成するための技術に関する。
【背景技術】
【０００２】
従来より、ラジオ放送では、視聴者からの郵便、ＦＡＸ、メール等による文書による投稿を番組内で紹介し、様々なテーマに対してタイムリーな内容にするための努力が払われている。こうした文書による投稿は、例えば、文章が長すぎるときは適宜短くしたり、逆に、短すぎる場合は適切なエピソードを付加したり、また、放送に不適切な表現が用いられた部分は言い換えたりして、放送事故（時間オーバー、放送禁止用語など）を防止している。
【０００３】
また、これまでに、電話から着信したメッセージを留守番電話のカセットテープに録音しておき、このカセットテープをディレクタ等が実際に聴いて編集作業を行うことにより、放送事故を防止しつつ視聴者の生の声をラジオ放送の中で放送するという試みもあった。
【０００４】
文書による投稿は、原稿として採用可能な文書だけを抽出して束にし、不適切な箇所やカットする箇所を指示する注意書きを書き込むことにより、放送事故の防止に適切に対応することができる点で優れてはいるが、ディレクタ等による人海戦術が必要となる上に、番組中で流れる声は、パーソナリティーやゲスト出演者による原稿の朗読に近いものとなり、面白みや迫力に欠ける。
【０００５】
一方、留守番電話を利用する場合、生の声を用いることで番組の迫力や面白みが増す反面、番組で採用する部分を一本のテープに別途テープ起こししたり、多数のカセットテープレコーダーを用意して順番に作動させるといった負担が大きく、特に、近年のコミュニティＦＭ局の様な小規模の放送局では対応が困難である。
【０００６】
こうした要望を受けて、映像データを放送素材として用いるテレビジョン放送の現場用には、コンピュータシステムを利用した番組編集装置が各種提案されている（例えば、特許文献１〜２２）。
【０００７】
特許文献１（特開平１０−２７５１８０）は、入力作業の効率を向上させるという目的で、第１の期間内に行われる複数の行事予定情報を一覧表として表示画面上に表示すると共に、当該表示画面上に表示された各行事予定情報の内容を更新入力する情報入力方法において、一覧表に表示される複数の行事予定情報のうち、第２の期間経過後も当該第２の期間毎に行事予定対象となる行事予定情報のみを、第２の期間毎に自動的に時定情報のみを繰り下げて更新入力するようにしたことにより、第２の期間毎に同じ情報を最初から一覧表に入力し直す手間が省けると共に、入力し忘れてしまうのを回避することができ、かくして情報入力の作業効率を向上させ得る情報入力方法を提案している。 
【０００８】
特許文献２（特開平１０−２７５１８１）は、常に最新の情報を伝達して業務効率を向上させるという目的で、第１の一覧表に表示された各行事決定情報について当該各行事決定情報をそれぞれ構成する複数の時変情報のうち少なくとも１以上の時変情報が未定である場合、当該未定の時変情報に割り当てる現時点の候補情報群を必要に応じて第１の一覧表に重畳して表示するようにしたことにより、第１の一覧表の作成段階で上述の未定の時変情報の内容に変更があつても当該変更前の時変情報が選定されるのを回避することができ、かくして常に最新の情報を伝達して業務効率を向上させ得る情報入力方法を提案している。
【０００９】
特許文献３（特開平１０−２７６１４７）は、報道部にて制作された番組を送出する際に必要な情報をマスタ室及び報道部間において確実かつ高速に伝達するという目的で、単数又は複数の番組制作部により制作した各番組をマスタへ送出するとともに、当該マスタよりキユーシート情報に従つて順次切り換えてオンエア送出する番組制作送出装置において、各番組制作部及びマスタを接続するネツトワーク手段と、各番組制作部内にキユーシート情報を記憶するデータベース手段とを備え、各番組制作部とマスタとの間でネツトワーク手段を通じて確実かつ高速にキユーシート情報を授受することを提案している。
【００１０】
特許文献４（特開平１０−２７６１４８）は、番組の項目からアンタイムコマーシヤルの項目への切り換えを確実にしてオンエア送出する目的で、キユーシート情報を格納するキユーシート情報格納手段と、項目の内、送出必須とする必須項目の起動の送出タイミングをキユーシート情報に設定する送出タイミング設定部と、送出タイミングに基づいて必須項目をマスタから切り換え送出する切換え手段とを備えたことにより、キユーシート情報に設定された送出タイミングにて必須項目を自動で切り換えてマスタよりオンエア送出することを提案している。 
【００１１】
特許文献５（特開平１０−２７６１４９）は、番組のキユーシートに従つて複数の部分番組を順次送出する際のオペレータの手動操作誤りを低減し得るようにする目的で、番組のキユーシート上で第１の部分番組の次に配置された第２の部分番組の送出タイミング信号を、手動操作により生成する第１のモードと、第１の部分番組の期間情報に基づいて自動的に生成する第２のモードとを切り換えて生成可能とし、番組全体の送出モードが第１のモードに設定されたとき第２の部分番組の送出タイミング信号を第２のモードで生成することを提案している。
【００１２】
特許文献６（特開平１０−２７６１５０）は、番組のキユーシートに従つて複数の部分番組を手動操作で順次送出する際に、任意の部分番組を任意の時刻に正確に送出し得るようにする目的で、番組のキユーシート上のそれぞれの部分番組の送出タイミング信号を、手動操作により生成する第１のモードと、任意の時刻に自動的に生成する第２のモードとを切り換えて生成可能とし、番組全体の送出モードが第１のモードに設定されたとき任意の部分番組の送出タイミング信号を第２のモードで生成することを提案している。
【００１３】
特許文献７（特開平１０−２７６１５１）は、ネツトワーク接続された複数端末での同時並列処理による番組構成表に対する入力／変更処理を実現する目的で、キユーシート情報を記録するデータベース手段と、データベース手段よりキユーシート情報を読み出して、当該キユーシート情報に対して入力又は変更を設定する複数のキユーシート入力端末と、複数のキユーシート入力端末の内いずれかのキユーシート端末にてキユーシート情報に対してアクセスしているとき、当該キユーシート端末がアクセスされていることをキユーシート管理手段によつてネツトワーク手段を通じて他のキユーシート入力端末に対して知らせることを提案している。
【００１４】
特許文献８（特開平１０−２７６１５２）は、番組リハーサルを必要とする項目だけを選択してリハーサルを実行する目的で、各素材の送出情報が記録されたキユーシート情報を所定のデータ格納手段に格納するデータ格納ステツプと、キユーシート情報をデータ格納手段から読み出して表示するキユーシート情報表示ステツプと、表示されたキユーシート情報に基づいて選択された素材について送出情報に応じたリハーサルを設定するリハーサル設定ステツプとを備えたことによつて、キユーシート情報に基づいて素材を選択して送出情報に応じたリハーサルを設定することを提案している。
【００１５】
特許文献９（特開平１０−２７６１５３）は、番組のキユーシートに従つて複数の部分番組を順次送出中に、任意の部分番組を所望の順序に短時間で変更して送出し得るようにする目的で、ランダムアクセスするキユーシート記録再生手段内のキユーシートを送出順序変更手段で書換えて部分番組の順序を変更し、書換え後のキユーシートに従つて、ランダムアクセスする番組再生手段より所望の部分番組を再生することを提案している。
【００１６】
特許文献１０（特開平１０−２７６１５４）は、送出未定素材を容易に送出し得るようにする目的で、本発明は、収録手段に収録した送出決定素材及び送出未定素材を表す素材リストを素材リスト作成手段によつて作成して登録手段に登録し、番組構成表作成編集手段により、登録手段から読み出した素材リスト及び番組構成表に基づいてオペレータが指定した送出未定素材と送出決定素材とから新たな番組構成表を作成し、又は素材リストの表す送出未定素材のうち、オペレータが指定した送出未定素材を、番組構成表に組み込むことにより送出決定素材に変更して当該番組構成表を編集することにより、収録手段に収録した送出未定素材を素材リストに基づいて容易に管理し、かつ番組構成表上で送出決定素材に容易に変更でき、かくして送出未定素材を容易に送出し得る番組制作送出装置を提案している。
【００１７】
特許文献１１（特開平１０−２７６１５５）は、番組構成表の確定枠に容易に項目、構成等の情報を入力する目的で、第１のキユーシート情報によつて設定された開始時刻及び終了時刻の確定している確定枠に項目又は構成を割り当てて第２のキユーシート情報を作成する際、第１のキユーシート情報を番組構成表の形式で表示するキユーシート情報表示ステツプと、番組構成表に表示される第１のキユーシート情報に含まれる確定枠に対応付けて確定枠帯を表示する確定枠帯表示ステツプとを備え、第１のキユーシート情報によつて設定される確定枠に項目又は構成を割り当てて第２のキユーシート情報を作成する際、第１のキユーシート情報に含まれる確定枠に対応付けて確定枠帯を表示することを提案している。
【００１８】
特許文献１２（特開平１０−２７６１５６）は、放送する映像素材の内容及び放送時間に合わせて原稿を作成する目的で、番組を構成する複数の映像素材をキユーシート情報に従つて順次送出する番組制作送出装置において、複数の映像素材の放送中に読み上げられる原稿を各映像素材の内容に合わせて入力作成する際に必要となる素材情報を含むキユーシート情報を記憶しておくデータベース手段と、原稿を入力作成する原稿入力装置部の表示画面上にデータベース手段に記憶されているキユーシート情報のうち素材情報を所定の原稿作成画面と共に表示する表示手段とを設けることを提案している。
【００１９】
特許文献１３（特開平１０−２７６１５７）は、ニユース素材を簡易な操作で的確に送出する目的で、所定の番組プログラムによつて指定された番組を単数又は複数のニユース素材に、当該ニユース素材に関する素材情報を付加したことにより、素材情報とニユース素材とを対応させて送出することができる。かくしてニユース素材を簡易な操作で的確に送出し得る番組制作送出装置を実現することを提案している。
【００２０】
特許文献１４（特開平１０−２７６１５８）は、映像データを収録する際に収録終了点を明確にして所望の収録時間分の映像データを正確に収録する目的で、番組を構成する複数の映像素材をキユーシート情報に従つて順次送出する番組制作送出装置において、映像素材の映像データを収録する記憶手段と、映像データの収録時間情報を記憶しておくデータベース手段と、映像データを記憶手段に収録する際にデータベース手段から収録時間情報を読み出してカウントし、当該カウント結果を表示画面上に表示するカウント表示手段と、カウント表示手段に表示されたカウント結果に基づいて映像データの収録時間を設定する制御手段とを設けるようにすることを提案している。
【００２１】
特許文献１５（特開平１０−２７６１５９）は、送出の終了した保管対象の素材を容易に記録し得るようにする目的で、保管情報生成手段によりオペレータが指定した保管対象の番組と、当該保管対象の番組を構成する各素材からオペレータが保管対象に指定した全て又は特定の各素材とを表す保管情報を生成してこれを登録手段に登録し、リスト作成手段が保管情報に基づいて送出の終了した保管対象の番組を構成する各素材から保管対象の各素材を表すリストを作成してこれをリストを登録手段に登録し、一本化手段がリストの表す各素材を所定の順番で収録手段から連続して読み出して一本の素材列にして所定の記録媒体に記録することにより、歴史的に資料となり得る保管対象の素材を容易に記録でき、かくして送出の終了した保管対象の素材を容易に記録し得る番組制作送出装置を実現することを提案している。
【００２２】
特許文献１６（特開平１０−２７６１６０）は、番組の制作及び送出に必要な情報の伝達を確実かつ高速にする目的で、番組を構成する複数の素材を作成してキユーシートに従つて順次送出する番組制作送出装置において、キユーシート作成部、素材作成部、素材送出部及びデータベース手段をネツトワーク手段で接続し、データベース手段に記憶させた制作情報及びキユーシートをネツトワーク手段を通じて受渡しするようにしたことにより、制作情報及びキユーシートを送出情報作成部、素材作成部及び素材送出部とデータベース手段との間で確実かつ高速に受渡しすることを提案している。
【００２３】
特許文献１７（特開２００１−１３６１３７）は、クッション項目の放送可能時間をリアルタイムで自動的に更新するとともに、該クッション項目の放送可能時間を容易に把握可能とし、かつ番組放送を円滑に行う目的で、キューシート端末は、送出機器制御部で作成されたキューシートを、番組の進行に従ってリアルタイムで表示し、このとき、キューシート端末は、オペレータが「構成」を切り換える際に操作するテイクスイッチを押下する度に、キューシートから得られる「項目＝素材」の予定時刻と、実際の進行時刻との時刻差、すなわちキューシートに組み込まれたクッション項目の放送可能時間を算出してリアルタイムで更新し、また、番組が予定より遅れている場合には、上記クッション項目の放送時間を赤色表示し、予定より進んでいる場合には、青色表示する技術を提案している。
【００２４】
特許文献１８（特開２００２−１６４８６２）は、ラジオ番組において、視聴者がリクエスト番組全体をその構成を含めてすべて制作し、これを放送局は原則としてそのまま放送すると云う、従来のリクエスト番組とは違ったリクエスト番組の形態とその放送方法を提供する目的で、視聴者がラジオ放送用の番組のすべてを制作し、この制作された番組を放送局が原則としてそのまま放送する方法であって、制作者となる視聴者は、例えばインターネット上の通信端末を用いて、放送局側の番組自動生成ウェブページにアクセスし、ここで、番組の構成から選曲にいたるまでのすべてを制作し、放送局は、視聴者が制作した上記番組を考査後そのまま放送を行うことを提案している。
【００２５】
特許文献１９（特開２００３−１５２６６７）は、放送履歴情報を簡単に作成できるようにする目的で、音楽等の番組送出スケジュールを暫定版であるキューシートを作成するステップと、キューシートに基づいて確定した番組送出スケジュール表の放送結果を示す情報を受信してキューシート上に貼り付けて放送履歴表を作成するステップとからなり、作成したキューシートが番組送出装置に送信され、受信したキューシートに基づいて番組送出スケジュール表を確定し、確定した番組送出スケジュール表に基づいて放送が進行し、放送結果はキューシート作成装置に転送され、キューシートを利用して放送履歴表が作成される。受信した音楽等の放送付属情報はキューシートの対応する欄に自動的に当て嵌められ、この処理でキューシートには情報送出前と同じような情報で埋まり、これが放送履歴表として保存され、キューシートを利用するので放送履歴情報の作成が容易であるという技術を提案している。
【００２６】
特許文献２０（特開２００３−３０９８０５）は、映像、音声、テキストなどのデータから成るマルチメディアコンテンツを編集するコンテンツ編集方法を提供する目的で、通信ネットワーク上にデータの編集を行う編集用装置を有するサーバーシステムと、そのサーバーシステムを利用するクライアントシステムとを配置したコンテンツ制作方法において、前記素材データを前記サーバーシステムに送信し、前記サーバーシステムより前記通信ネットワークを介して前記クライアントシステムに提示される、前記編集用装置を操作、選択する編集選択メニュ画面の中から所定のメニュ画面を選択して前記素材データを前記サーバーシステム側で編集し、前記編集した最終データをフォーマット部でフォーマット処理して前記クライアントシステムに送信するという技術を提案している。
【００２７】
特許文献２１（特開２００４−３２０４３５）は、ＧＵＩ表示やリスト表示による容易な操作により効率的かつ正確な，主放送とデータ放送の同時制作を可能とする放送番組編成制作支援システムを提供する目的で、通信網に接続され放送番組の編成を行う編成端末装置と、通信網に接続され放送番組の制作を行う制作端末装置とからなる放送番組編成制作支援システムであって、上記編成端末装置は、放送番組を設定し、上記放送番組の番組枠を設定し、上記制作端末装置は、上記放送番組の上記番組枠内において主放送イベントおよびデータ放送イベントを設定し、上記主放送と上記データ放送とを関連付けて表示するキューシートを作成することを特徴とする、放送番組編成制作支援システムを提案している。
【００２８】
特許文献２２（特表２００５−５０６７７２）は、生のフィードバックを提供する方法として、ラジオ局は、ＷＡＰで可能な移動通信装置により受信されるＶＨＦ−ＦＭ信号を使ってラジオ番組を送信し、この信号は、ラジオ局に関連付けられているウェブサイトのＵＲＬを含むラジオデータサービス（ＲＤＳ）データを含み、ユーザは、ウェブページにアクセスし、票を投じることにより世論調査に参加し、サーバーは、票を記録し、ラジオ局は、票を数えて、そのラジオ番組が放送されている間に票を発表するという技術を提案している。
【特許文献１】特開平１０−２７５１８０（要約，代表図）
【特許文献２】特開平１０−２７５１８１（要約，代表図）
【特許文献３】特開平１０−２７６１４７（要約，代表図）
【特許文献４】特開平１０−２７６１４８（要約，代表図）
【特許文献５】特開平１０−２７６１４９（要約，代表図）
【特許文献６】特開平１０−２７６１５０（要約，代表図）
【特許文献７】特開平１０−２７６１５１（要約，代表図）
【特許文献８】特開平１０−２７６１５２（要約，代表図）
【特許文献９】特開平１０−２７６１５３（要約，代表図）
【特許文献１０】特開平１０−２７６１５４（要約，代表図）
【特許文献１１】特開平１０−２７６１５５（要約，代表図）
【特許文献１２】特開平１０−２７６１５６（要約，代表図）
【特許文献１３】特開平１０−２７６１５７（要約，代表図）
【特許文献１４】特開平１０−２７６１５８（要約，代表図）
【特許文献１５】特開平１０−２７６１５９（要約，代表図）
【特許文献１６】特開平１０−２７６１６０（要約，代表図）
【特許文献１７】特開２００１−１３６１３７（要約，代表図）
【特許文献１８】特開２００２−１６４８６２（要約，代表図）
【特許文献１９】特開２００３−１５２６６７（要約，代表図）
【特許文献２０】特開２００３−３０９８０５（要約，代表図）
【特許文献２１】特開２００４−３２０４３５（要約，代表図）
【特許文献２２】特表２００５−５０６７７２（要約，代表図）
【発明の開示】
【発明が解決しようとする課題】
【００２９】
ところが、上記特許文献の内の最も新しい文献である特許文献２２においても、質問に対するソフトキー操作による選択の結果を番組にフィードバックする技術を開示するのみで、即ち、予想外のメッセージが投稿されるといった場合の放送事故の問題を少ない労力で回避し、コミュニティＦＭ等の小規模放送局でも対応することができ、番組に視聴者の生の音声を取り込むことでより迫力があり、面白みに富んだ放送を実施したいという要望に応えることはできていない。
【００３０】
特許文献１〜１６の開示する技術は、相当の時間や人を掛けて準備することによって実現できるものであり、小規模放送局においても対応できるものにはなっていない。
【００３１】
特許文献１７は、クッション項目によって放送の進行状況を管理することができる点で優れてはいるものの、そもそものキューシートの準備に時間や人を掛けなくてよくするための技術とはなっていない。
【００３２】
特許文献１８は、ラジオ番組を対象としているが、放送局における日常の放送業務用の技術を提案するものではなく、上述の目的に対応することはできない。
【００３３】
特許文献１９は、放送履歴情報を簡単に作成できるようにするものではあっても、放送前のキューシート作成の時間や労力の低減については未だ解決できているとはいえない。
【００３４】
特許文献２０は、素材データをサーバーシステム側で編集した最終データをフォーマット処理してクライアントシステムに送信するものであるため、事前の手続が必要となる。
【００３５】
特許文献２１は、ＧＵＩ表示やリスト表示による操作の容易化を図っているが、特許文献１〜１６等と同じく、キューシートが確定的にしか作成できない点で、準備作業の軽減や放送中の対応といった柔軟性には欠けるものとなっている。
【００３６】
そこで、本願は、準備作業を軽減することができ、小規模放送局においても容易に採用でき、しかも放送事故防止に効果的で、操作性の良い放送番組編集装置を提供することを目的とする。
【課題を解決するための手段】
【００３７】
上記目的を達成するためになされた本発明の放送番組編集装置は、視聴者等から投稿された音声を含む投稿データを記憶した投稿フォルダを有するサーバから、ネットワークを介して前記投稿データをダウンロードし、該ダウンロードした投稿データを送出用素材とする放送番組のキューシートを作成するためのクライアント端末であって、以下の構成を備えていることを特徴とする。
（１−１）当該放送番組編集装置の備えているディスプレイ装置に、少なくとも以下の４種の区画を同時に表示する区画表示手段を備えていること。
（ａ）前記ディスプレイ装置の表示領域の左右又は上下いずれか側の領域に設定され、前記サーバからダウンロードすることが可能な前記投稿データを個別に特定するための図形シンボルを表示する利用可能データ表示用区画。
（ｂ）前記ディスプレイ装置の表示領域において前記利用可能データ表示用区画と反対側の領域に設定され、前記図形シンボルを複数個並べたときの配置状態によってキューシートを作成するためのキューシート作成用区画。
（ｃ）前記利用可能データ表示用区画と前記キューシート作成用区画との中間領域に設定され、前記図形シンボルを置くことによって、該図形シンボルによって特定される投稿データを前記サーバからダウンロードするためのダウンロード用区画。
（ｄ）前記利用可能データ表示用区画と前記キューシート作成用区画との中間領域の前記ダウンロード用区画以外の領域に設定され、前記ダウンロードの完了した投稿データを個別に特定するための図形シンボルを一時保管しておく一時保管用区画。
（１−２）前記サーバの前記投稿フォルダ内に記憶されている投稿データの全部又は一部について、各投稿データを個別に特定するための図形シンボルを、前記利用可能データ表示用区画からはみ出さない様に表示する利用可能データ表示手段を備えていること。
（１−３）前記ディスプレイ装置の表示領域内で、前記投稿データを個別に特定するための図形シンボルの位置を移動させるシンボル移動手段を備えていること。
（１−４）前記シンボル移動手段によって、前記ダウンロード用区画に対してはみ出すことなく置かれた前記図形シンボルによって個別に特定される投稿データを前記サーバからダウンロードするデータダウンロード手段を備えていること。
（１−５）前記ダウンロード手段によってダウンロードが完了していない投稿データを個別に特定するための図形シンボルについては、前記ダウンロード区画から移動することを禁止するダウンロード未済みデータ配置禁止手段を備えていること。
（１−６）前記シンボル移動手段によって、前記キューシート作成用区画に対してはみ出すことなく並べられた前記図形シンボルによって個別に特定される投稿データを前記送出用素材として認識する送出用素材認識手段を備えていること。
（１−７）前記送出用素材として認識された投稿データを個別に特定するための図形シンボルの所定の基準位置が前記キューシート作成用区画内でどの様な位置関係に並べられているのかに基づき、前記送出用素材の送出順序を決定する送出順序決定手段を備えていること。
（１−８）前記送出用素材として認識された個々の投稿データの放送時間の総和として総放送時間を算出し、前記表示装置の所定位置に表示する総放送時間算出・表示手段を備えていること。
【００３８】
本発明の放送番組編集装置によれば、「（１−１）区画表示手段」は、「（ａ）利用可能データ表示用区画」、「（ｂ）キューシート作成用区画」、「（ｃ）ダウンロード用区画」及び「（ｄ）一時保管用区画」の４区画をディスプレイ装置上に同時に表示することができる。従って、本装置のユーザーは、「（１−２）利用可能データ表示手段」によって「（ａ）利用可能データ表示用区画」に表示されている図形シンボルを、「（１−３）シンボル移動手段」を操作して「（ｃ）ダウンロード用区画」に移動してここに置くことで、「（１−４）データダウンロード手段」が作動してサーバから投稿データをダウンロードし、ダウンロードが完了した投稿データの図形シンボルは、再び「（１−３）シンボル移動手段」を操作して「（ｄ）一時保管用区画」へと移動しておき、必要な数のデータが一時保管できたところで、再度、「（１−３）シンボル移動手段」を操作して、図形シンボルを「（ｄ）一時保管用区画」から「（ｂ）キューシート作成用区画」へと移動して当該区画内に各図形シンボルがすっぽりと収まる様に並べていくことで、「（１−６）送出用素材認識手段」、「（１−７）送出順序決定手段」及び「（１−８）総放送時間算出・表示手段」を作動させて、キューシートを作成することができる。
【００３９】
まず、本発明によれば、「（ｃ）ダウンロード用区画」に移動して初めて大きなサイズの投稿データがサーバからクライアント端末へとダウンロードされる構成であるから、端末として高性能で記憶容量の大きなワークステーション等を用いなくても本発明を実現できる。また、ダウンロードが完了したものを一時保管しておく「（ｄ）一時保管用区画」をも設けたので、上述の様に、ダウンロードの完了したデータを特定するための図形シンボルを、ダウンロード完了前の図形シンボルと明確に区別しておくことができる。そして、４つの区画が同時にディスプレイ上に表示されているので、区画間を行ったり来たりすることも容易で、操作性がよい。
【００４０】
また、「（１−５）ダウンロード未済みデータ配置禁止手段」により、ダウンロード未済みデータをキューシート作成用の素材として誤って「（ｂ）キューシート作成用区画内」に並べてしまうといった事態が発生するのを的確に排除することができる。従って、誤操作による放送事故（無音放送）を防止する機能として有効である。
【００４１】
さらに、「（１−２）利用可能データ表示手段」は「（ａ）利用可能データ表示用区画からはみ出さない様に図形シンボルを表示し、「（１−４）データダウンロード手段」は「（ｃ）ダウンロード用区画」からはみ出すことなく置かれた図形シンボルのみをダウンロード対象データを特定するものとして取扱い、「（１−６）送出用素材認識手段」も「（ｂ）キューシート作成用区画」からはみ出すことなく並べられた図形シンボルのみをもって送出用素材を認識するので、上述の通りに４区画を同時に表示していても意に反してデータをダウンロードしてしまったり、キューシートに追加してしまうという状態にならない。よって、操作性の向上と共に、処理の確実性も担保できている。
【００４２】
加えて、「（１−７）送出順序決定手段」は、図形シンボルの所定の基準位置（例えば矩形の上辺など）が「（ｂ）キューシート作成用区画内」でどの様な位置関係に並べられているのかに基づいて素材の送出順序を決定するので、図形シンボル同士が重なっていたり離れていたりしてもよく、従来技術の様な固定された確定枠にシンボルを嵌め込む場合よりも、並べ替えが容易であり、また、それほど大きくはないディスプレイ装置に上述の機能を意味する４区画を同時に表示していても、キューシート作成に利用する素材数を圧迫しないという作用も発揮される。
【００４３】
そして、「（１−８）総放送時間算出・表示手段」は、図形シンボルが「（ｂ）キューシート作成用区画」の中に多少重なり合うなどして配列されたとしても、個々の投稿データの放送時間の総和を算出して表示するので、キューシート作成者は、図形シンボルを「（ｂ）キューシート作成用区画」に置くときに、その順序と総放送時間とを意識すればよく、ある程度ラフな操作であっても意図する時間をカバーする放送素材をその場で編集していくことができるのである。
【００４４】
本発明の放送番組編集装置は、さらに、以下の構成をも備える様にすると一層効果的なものとなる。
（２−１）放送番組において定型的に使用し得る定型素材を送出可能なデータとして記憶していること。
（２−２）前記区画表示手段は、前記ディスプレイ装置の前記表示領域内に、前記（ａ）〜（ｄ）の各区画と同時に、次の区画をも表示する手段として構成されていること。
（ｅ）前記利用可能データ表示用区画と前記キューシート作成用区画との中間領域の前記ダウンロード用区画及び前記一時保管用区画以外の位置に設定され、前記定型素材を個別に特定するための図形シンボルを表示する定型素材表示用区画。
（２−３）前記シンボル移動手段は、前記ディスプレイ装置の前記表示領域内で、前記定型素材を個別に特定するための図形シンボルの位置をも移動させ得る手段として構成されていること。
（２−４）前記送出用素材認識手段は、前記シンボル移動手段によって、前記キューシート作成用区画に対してはみ出すことなく並べられた図形シンボルによって個別に特定される定型素材をも前記送出用素材として認識する手段として構成されていること。
【００４５】
例えば、ラジオ番組の中でたびたび使用するジングルなどを「定型素材」としてキューシート作成の際に利用できる様にしておくのである。この場合、投稿データと混ざらない様に、「（ｅ）定型素材表示用区画」を別途設け、これもディスプレイ装置に表示しておくことで、スムーズな操作で放送番組用のキューシートを作成することができる。なお、こうした定型素材自体も送出用素材とし、放送時間の総和に加える必要から、（２−３）及び（２−４）の構成を採用し、投稿データ特定用の図形シンボルと定型素材特定用の図形シンボルとを、「（１−６）送出用素材認識手段」及び「（１−３）シンボル移動手段」が区別なく取り扱える様にしておくのである。
【００４６】
本発明の放送番組編集装置は、さらに、以下の構成をも備える様にすると一層効果的なものとなる。
（３−１）前記区画表示手段は、前記ディスプレイ装置の表示領域を左右に約３等分した領域の右側の領域に前記利用可能データ表示用区画を表示し、左側の領域に前記キューシート作成用区画を表示し、中央の領域のほぼ中央に前記ダウンロード用区画を表示し、該ダウンロード用区画の下方に前記一時保管用区画を表示し、前記ダウンロード用区画の上方に前記定型素材表示用区画を表示する手段として構成されていること。
（３−２）前記送出順序決定手段は、前記キューシート作成用区画内に並べられた各図形シンボルの上端の高さが上にあるものを先に送出する様に前記送出順序を決定する手段として構成されていること。
【００４７】
一般に、左利きよりも右利きの人が多い。特に、日本人においてはその傾向が強い。従って、右手でマウスを操作して図形シンボルを移動させることになる。この場合、右から左へと移動してキューシートを作成する動きが、手の動き、視線との関係からも、最もスムーズである。また、移動は「右から左」、キューシートの時系列は「上から下」としておくことが、ユーザーによるイメージ的な思考下での操作という点で混乱を生じさせない。従って、上記の様な表示態様、また、時系列順序の決定ルールには、時間も労力も増大させずに放送番組を編集するという要望に、より一層マッチするものといえる。
【００４８】
本発明の放送番組編集装置は、さらに、以下の構成をも備える様にすると一層効果的なものとなる。
（４−１）前記区画表示手段は、前記ディスプレイ装置の左側の領域に、複数のキューシート作成用区画を上下にずらして表示する手段として構成されていること。
（４−２）前記送出用素材認識手段、前記送出順序決定手段及び前記総放送時間算出・表示手段は、前記各キューシート作成用区画単位で、前記送出用素材の認識、前記送出順序の決定並びに前記総放送時間の算出及び表示を実行する手段として構成されていること。
【００４９】
複数のキューシート作成用区画を備えることで、放送番組中に、何回かに分けて投稿データを送出する様な場合に、次の準備を早く済ませることができるという利点がある。なお、この場合、上下に並べる方が、キューシート内の時系列とも一致するので、先に送出すべきキューシートと後に送出すべきキューシートの順番を取り違え難い。
【００５０】
本発明の放送番組編集装置は、さらに、以下の構成をも備える様にすると一層効果的なものとなる。
（５−１）前記図形シンボルが、前記シンボル移動手段によって移動されて前記ダウンロード用区画及び前記キューシート作成用区画に対して一部はみ出した状態のままで置かれたときは、該一部はみ出した図形シンボルを移動前の位置へと強制的に戻す強制戻し手段を備えていること。
【００５１】
この「（５−１）強制戻し手段」を備えることによりダウンロード用区画に一部だけ入ってはみ出している図形シンボルは、利用可能データ表示用区画へと強制的に戻され、意図していない投稿データをダウンロードしてしまう無駄を防止する。また、キューシート作成用区画に一部だけ入ってはみ出している図形シンボルは、一時保管用区画へと強制的に戻され、意図していない投稿データをキューシートに加えてしまう誤りを防止する。ここで、強制的に区画に取り込む手段とすることで、どちらつかずの図形シンボルを移動させるという手法も考えられる。しかし、意図していない投稿データがキューシート作成に採用されてしまうと、放送時間の計算や投稿の内容、用語等について誤算が生じ、放送事故に繋がるおそれがある。一方、強制戻しの場合は、使用を意図していた素材がはじき出されても意図した放送時間に足らない状態の総放送時間の表示を見て気付くはずである。よって、強制戻しは本発明の目的において、強制取り込みよりも一層適したものといえる。
【００５２】
本発明の放送番組編集装置は、さらに、以下の構成をも備える様にすると一層効果的なものとなる。
（６−１）前記利用可能データ表示用区画内で所定のポインティングデバイス操作をすることによって新着情報の確認指令を前記サーバに対して送信する新着情報確認指令手段を備えていること。
（６−２）前記新着情報確認指令を受信した前記サーバから新着情報ありの返信を受け取ったときに、該新着情報を特定するための図形シンボルを前記利用可能データ表示用区画に表示する新着情報特定シンボル表示手段を備えていること。
【００５３】
「（６−１）新着情報確認指令手段」により、新着情報の確認指令を送信すると、サーバ側では、当該クライアント端末に対して直前に利用可能データを送信した後に投稿フォルダに記憶された投稿データがある場合には、新着情報ありを意味する情報を返信する。クライアント端末側では、「（６−２）新着情報特定シンボル表示手段」が作動し、新着情報を特定するための図形シンボルを利用可能データ表示用区画に表示する。これにより、編集作業を開始した後における新着情報をも取り込んでキューシート作成を実行することができ、例えば、生放送番組における視聴者からのホットなメッセージを放送するといった機能を実現できる様になる。
【００５４】
本発明の放送番組編集装置は、さらに、以下の構成をも備える様にすると一層効果的なものとなる。
（Ａ１）前記ダウンロード手段によってダウンロードされた投稿データの内容を確認するための内容確認手段を備えていること。
（Ａ２）前記内容確認手段による内容確認の結果、放送番組において送出しないこととした投稿データを個別に特定するための図形シンボルを前記ディスプレイ装置に表示しない様にする不要シンボル非表示手段を備えていること。
【００５５】
この様に、ダウンロードするときに音声を検聴できる様にしておけば、ダウンロードの進行に合わせて迅速に投稿データの内容も確認できる。そして、不要と判断された内容のデータは、非表示の状態（削除等も含む）とすることで、何度も誤って検聴してしまうということがなくなる。
【００５６】
本発明の放送番組編集装置は、さらに、以下の構成をも備える様にすると一層効果的なものとなる。
（７−１）前記内容確認手段を用いた内容確認の結果に応じて、ダウンロードした個々の投稿データに対してその一部のみを送出対象とする送出範囲を指定する送出範囲指定手段を備えていること。
（７−２）前記送出様素材認識手段は、前記送出範囲指定手段によって送出範囲を指定された投稿データについては、当該指定された送出範囲内のデータを前記送出用素材として認識する手段として構成されていること。
（７−３）前記総放送時間算出・表示手段は、前記送出範囲指定手段によって送出範囲を指定された投稿データについては、当該指定された送出範囲内のデータの放送時間を採用して前記総放送時間を算出する手段として構成されていること。
【００５７】
「（７−１）送出範囲指定手段」により、ダウンロードした個々の投稿データに対してその一部のみを送出対象とする送出範囲を指定することにより、最初の咳払いをカットしたり、冗長になってしまったメッセージの無意味そうな部分をカットするなどにより、放送の内容を向上することができる。また、素材として使用したいが放送時間の問題で全部は送出できないというデータに対しても、送出対象として残すことができる。なお、送出範囲を指定したことは、送出用素材の認識及び放送時間の算出において反映される。
【００５８】
本発明の放送番組編集装置は、さらに、以下の構成をも備える様にすると一層効果的なものとなる。
（８−１）前記ネットワークを介して、前記サーバの前記投稿フォルダに記憶されている投稿データのリストアップをするリストアップ手段を備えていること。
（８−２）前記リストアップ手段によってリストアップされた投稿データの内容を確認する投稿データ確認手段を備えていること。
（８−３）前記リストアップ手段によってリストアップされた投稿データに対して、前記放送番組のキューシート作成に利用可能か否かのチェックマークを付与するチェックマーク付与手段を備えていること。
（８−４）前記利用可能データ表示手段は、前記チェックマーク付与手段によって利用不可能とされた投稿データ以外の投稿データを個別に特定するための図形シンボルの全部又は一部を表示する手段として構成されていること。
【００５９】
これらの手段は、放送番組の直前、あるいは放送番組の放送中の編集作業をスムーズにするのに役立つ。例えば、放送の前日までに投稿されたデータについては、翌日の放送に使えるか否かを内容面や音質などの面から前もってチェックすることは有効な対策となる。即ち、前日に「（８−１）リストアップ手段」を作動して投稿フォルダに記憶されている投稿データのリストアップをし、「（８−２）投稿データ確認手段」で事前に内容を確認し、「（８−３）チェックマーク付与手段」で分類をしておく。この前日の作業の結果が翌日の作業に反映される様に、利用可能データ表示手段を（８−４）の如く構成するのである。
【００６０】
本発明の放送番組編集装置は、さらに、以下の構成をも備える様にすると一層効果的なものとなる。
（Ｂ１）前記投稿データを個別に特定する図形シンボルに対して、文字情報によるコメントを付加するコメント付加手段を備えていること。
【００６１】
「（Ｂ１）コメント付加手段」により、図形シンボルに対して投稿者、内容などの覚書を付加しておくことで、キューシート作成の作業をスムーズにすることができる。
【００６２】
本発明の放送番組編集装置は、さらに、以下の構成をも備える様にすると一層効果的なものとなる。
（Ｃ１）前記一時保管用区画に移動された図形シンボルに対して、色による識別情報を付加する色識別情報付加手段を備えていること。
【００６３】
本発明の放送番組編集装置は、さらに、以下の構成をも備える様にすると一層効果的なものとなる。
（Ｄ１）前記キューシート作成用区画が矩形形状とされていること。
（Ｄ２）前記キューシート作成用区画の前記矩形形状を伸縮する区画伸縮手段を備えていること。
（Ｄ３）前記区画伸縮手段によって前記矩形形状が伸縮されたときは、該伸縮後の矩形形状によって特定される区画を前記キューシート作成用区画内として前記送出用素材の認識を実行する手段として構成されていること。
【００６４】
（Ｄ１）〜（Ｄ３）の構成をも採用することで、キューシート作成用区画を伸長させて長めの放送時間のキューシートを作成することも可能になる。この場合、上下に伸長できるのが感覚的な操作との関係からも有効である。
【００６５】
本発明の放送番組編集装置は、さらに、以下の構成をも備える様にすると一層効果的なものとなる。
（９−１）前記キューシート作成用区画内で所定のポインティングデバイス操作をすることによって送出の開始を指令する送出開始指令手段を備えていること。
（９−２）前記キューシート作成用区画内で所定のポインティングデバイス操作をすることによって送出の中止又は中断を指令する中止・中断指令手段を備えていること。
（９−３）前記送出開始指令手段により送出開始が指令されたら、その時点で前記キューシート作成用区画に並べられている図形シンボルの配置から前記送出順序決定手段が決定する送出順序に従って、送出用素材を順次送出する送出実行手段を備えていること。
（９−４）前記中止・中断指令手段により送出の中止又は中断が指令されたら、その時点で送出開始時期に到っていない送出用素材については、前記送出実行手段による送出を開始しない様に制御する中止・中断実行手段を備えていること。
【００６６】
こうして本発明の放送番組編集装置によって作成されたキューシートの実行は、「（９−１）送出開始指令手段」の指令を受けて「（９−３）送出実行手段」を作動させることにより実施できる。また、この操作をキューシート作成用区画内でのポインティングデバイス操作により指令できる様にすることで、特に、複数のキューシートを並行して作成している様な場合に、キューシート間の放送順を間違え難いという作用が発揮される。また、「（９−２）中止・中断指令手段」及び「（９−４）中止・中断実行手段」を備えることにより、キューシートの実行を、送出最中のデータを送出し終わったところで止めることができる。この場合の操作も、上述の如く構成することで、的確な操作を可能にしている。
【００６７】
本発明の放送番組編集装置は、さらに、以下の構成をも備える様にすると一層効果的なものとなる。
（１０−１）前記キューシート作成用区画内において、前記送出実行手段による送出が行われている最中の送出用素材よりも時系列において後となる順序に決定し得る位置については、新たな図形シンボルを追加し、又は既にある図形シンボルを撤去することを許可するシンボル追加・撤去許可手段を備えていること。
（１０−２）前記シンボル追加・撤去許可手段が作動して前記図形シンボルの追加又は撤去が実行されたときは、前記送出用素材認識手段、前記送出順序決定手段及び前記総放送時間算出・表示手段に、前記送出用素材の認識、前記送出順序の決定並びに前記総放送時間の算出及び表示の各処理を再度実行させるキューシート変更手段を備えていること。
【００６８】
「（１０−１）シンボル追加・撤去許可手段」及び「（１０−２）キューシート変更手段」は、送出実行中にも新たな図形シンボルを追加し、又は既にある図形シンボルを撤去してキューシートを構成し直すことを可能にしている。これは、従来の様な確定枠にシンボルを配置してキューシートを作成する手法には全くない、本発明特有の身軽さから可能になったものである。
【００６９】
また、上述した様な放送番組編集装置は、コンピュータに以下の各処理ステップを実行させるためのコンピュータ可読形式の放送番組編集処理プログラムをコンピュータにインストールすることで容易に実現することができる。
（１１−１）当該放送番組編集装置の備えているディスプレイ装置に、少なくとも以下の５種の区画を、前記ディスプレイ装置の表示領域を左右に約３等分した領域の右側の領域に下記（ａ）の利用可能データ表示用区画を、左側の領域に下記（ｂ）のキューシート作成用区画を、中央の領域のほぼ中央に下記（ｃ）のダウンロード用区画を、該ダウンロード用区画の下方に下記（ｄ）の一時保管用区画を、前記ダウンロード用区画の上方に下記（ｅ）の定型素材表示用区画を表示する区画表示ステップ。
（ａ）サーバからダウンロードすることが可能な前記投稿データを個別に特定するための図形シンボルを表示する利用可能データ表示用区画。
（ｂ）前記図形シンボルを複数個並べたときの配置状態によってキューシートを作成するための矩形形状を呈するキューシート作成用区画。
（ｃ）前記図形シンボルを置くことによって、該図形シンボルによって特定される投稿データを前記サーバからダウンロードするためのダウンロード用区画。
（ｄ）前記ダウンロードの完了した投稿データを個別に特定するための図形シンボルを一時保管しておく一時保管用区画。
（ｅ）放送番組において定型的に使用し得る定型素材を個別に特定するための図形シンボルを表示する定型素材表示用区画。
（１１−２）当該放送番組編集装置がネットワークを介して接続可能なサーバの内に記憶されている投稿データの全部又は一部について、各投稿データを個別に特定するための図形シンボルを、前記利用可能データ表示用区画からはみ出さない様に表示する利用可能データ表示ステップ。
（１１−３）当該放送番組編集装置が備えているマウス、トラックボール、ジョイスティック等のポインティングデバイスの操作に応じて、前記ディスプレイ装置の表示領域内で、前記投稿データ及び前記定型素材を個別に特定するための図形シンボルを移動させるシンボル移動ステップ。
（１１−４）前記ダウンロード用区画に対してはみ出すことなく置かれた前記図形シンボルによって個別に特定される投稿データを前記サーバからダウンロードするデータダウンロードステップ。
（１１−５）前記ダウンロードされた投稿データをオフラインで出力するオフライン出力ステップ。
（１１−６）放送番組において使用しないこととした投稿データを個別に特定するための図形シンボルを前記ディスプレイ装置に表示しない様にする不要シンボル非表示ステップ。
（１１−７）前記ダウンロードした個々の投稿データに対してその一部のみを送出対象とする送出範囲を指定する送出範囲指定ステップ。
（１１−８）前記ダウンロードが完了していない投稿データを個別に特定するための図形シンボルについては、前記ダウンロード区画から移動することを禁止するダウンロード未済みデータ配置禁止ステップ。
（１１−９）前記キューシート作成用区画に対してはみ出すことなく並べられた前記図形シンボルによって個別に特定される投稿データを前記送出用素材として認識する送出用素材認識ステップ。
（１１−１０）前記送出用素材として認識された投稿データを個別に特定するための図形シンボルの上端の高さが上にあるものを先に送出する様に送出順序を決定する送出順序決定ステップ。
（１１−１１）前記送出用素材として認識された個々の投稿データの放送時間の総和として総放送時間を、前記送出範囲の指定を考慮しつつ算出し、前記キューシート作成用区画の内部又は近傍の所定位置に表示する総放送時間算出・表示ステップ。
（１１−１２）前記図形シンボルが移動されてきて、前記ダウンロード用区画及び前記キューシート作成用区画に対して一部はみ出した状態のままで置かれたときは、該一部はみ出した図形シンボルを移動前の位置へと強制的に戻す強制戻しステップ。
（１１−１３）必要に応じて、前記一時保管用区画に移動した図形シンボルに対して、色による識別情報を付加する色識別情報付加ステップ。
（１１−１４）必要に応じて、前記キューシート作成用区画の前記矩形形状を伸縮する区画伸縮ステップ。
（１１−１５）前記区画伸縮ステップが実行されて前記矩形形状が伸縮されたときは、該伸縮後の矩形形状によって特定される区画を前記キューシート作成用区画内とする区画サイズ変更ステップ。
（１１−１６）前記キューシート作成用区画内でのポインティングデバイス操作によって送出開始が指令されたら、その時点で前記キューシート作成用区画に並べられている図形シンボルの配置から決定する送出順序に従って、送出用素材を順次送出する送出実行ステップ。
（１１−１７）前記キューシート作成用区画内でのポインティングデバイス操作によって送出中止又は送出中断が指令されたら、その時点で送出開始時期に到っていない送出用素材については、送出を開始しない様に制御する中止・中断ステップ。
（１１−１８）前記キューシート作成用区画内において、現在送出が行われている最中の送出用素材の図形シンボルよりも上端が下方となる位置については、新たな図形シンボルを追加し、又は既にある図形シンボルを撤去することを許可するシンボル追加・撤去許可ステップ。
（１１−１９）前記シンボル追加・撤去許可ステップにより許可されて前記図形シンボルの追加又は撤去が実行されたときは、前記送出用素材認識ステップ、前記送出順序決定ステップ及び前記総放送時間算出・表示ステップを再度実行させるキューシート変更ステップ。
（１１−２０）前記利用可能データ表示用区画内でのポインティングデバイス操作によって新着情報の確認指令を前記サーバに対して送信する新着情報確認指令ステップ。
（１１−２１）前記サーバから新着情報ありの返信を受け取ったときに、該新着情報を特定するための図形シンボルを前記利用可能データ表示用区画に表示する新着情報特定シンボル表示ステップ。
【００７０】
また、上記目的を達成する上で、前述の編集処理プログラムに加えて、さらに以下のコンピュータ可読形式の編集前処理プログラムもインストールされている放送番組編集用可搬式コンピュータが有効なものとなる。
（１２−１）前記ネットワークを介して、前記サーバの前記投稿フォルダに記憶されている投稿データのリストアップをするリストアップステップ。
（１２−２）前記リストアップステップによってリストアップされた投稿データをダウンロードしてオフライン出力する確認出力ステップ。
（１２−３）前記リストアップされた投稿データに対して、前記放送番組のキューシート作成に利用可能か否かのチェックマークを付与するチェックマーク付与ステップ。
（１２−４）前記投稿データを個別に特定する図形シンボルに対して、文字情報によるコメントを付加するコメント付加ステップ。
【００７１】
可搬式コンピュータ（ノートパソコン、ＰＤＡ端末など）にプログラムをインストールしておけば、放送番組編集装置の持ち運びは容易であり、事前準備等を自宅で実施する際に有効である。（１１−１）〜（１１−４）は、事前準備において有効な機能を発揮するプログラムである。
【発明の効果】
【００７２】
本発明によれば、放送番組において投稿された生の声を使用するに当たり、準備作業を軽減することができ、小規模放送局においても容易に採用でき、しかも放送事故防止に効果的で、操作性の良い放送番組編集装置を提供することができる。
【発明を実施するための最良の形態】
【００７３】
以下、本発明を具体化した実施形態として、ラジオ番組の編集に用いる装置について説明する。
【００７４】
この装置は、図１に示す様に、視聴者等から投稿された音声メッセージからなる投稿データ１１を記憶した投稿フォルダ１２を有するサーバ１０から、ネットワーク２０を介して投稿データ１１をダウンロードし、こうしてダウンロードした投稿データ１１を送出用素材３１とする放送番組のキューシート３０を作成するためのクライアント端末（ノートパソコン４０）であって、以下の各処理ステップを実行させるためのコンピュータ可読形式のラジオ番組編集処理プログラムをインストールすることでラジオ番組編集装置を構成する。なお、ノートパソコン４０は、液晶ディスプレイ４１、マウス４２、キーボード４３等を備えた汎用型のものである。
【００７５】
ラジオ番組編集処理プログラムは、液晶ディスプレイ４１に、図２に示す様な編集画面を表示して編集処理を実行するものである。この編集処理は、図３に示す様に、編集画面を表示するための表示処理ステップ（Ｓ１０）を実行し、液晶ディスプレイ４１の表示領域を左右に約３等分した領域の右側の領域に利用可能データ表示用区画５１を、左側の領域にキューシート作成用区画５２，５３を、中央の領域のほぼ中央にダウンロード用区画５４を、ダウンロード用区画５４の下方に一時保管用区画５５を、ダウンロード用区画５４の上方に定型素材表示用区画５６を表示する。また、一時保管用区画の下方に、送出済みデータの図形シンボル６３を保管する送出済みデータ保管区画５７も表示される。
【００７６】
ラジオ番組編集処理プログラムは、図２に示す様に、起動するとまず液晶ディスプレイ４１に編集画面を表示する表示処理ステップ（Ｓ１０）を実行し、図３に示す様に、液晶ディスプレイ４１の表示領域を左右に約３等分した領域の右側の領域に利用可能データ表示用区画５１を、左側の領域にキューシート作成用区画５２，５３を、中央の領域のほぼ中央にダウンロード用区画５４を、ダウンロード用区画５４の下方に一時保管用区画５５を、ダウンロード用区画５４の上方に定型素材表示用区画５６を表示する。また、一時保管用区画の下方に、送出済みデータの図形シンボル６３を保管する送出済みデータ保管区画５７も表示される。
【００７７】
利用可能データ表示用区画５１は、サーバ１０からダウンロードすることが可能な投稿データ１１を個別に特定するための図形シンボル６１を表示する矩形状の区画で上下方向ほぼ一杯に表示される。
【００７８】
キューシート作成用区画５２，５３は、それぞれ同じサイズの矩形形状の区画で、ディスプレイ４１の左側の領域に上下に並べて表示される。これら２つのキューシート作成用区画５２，５３は、それぞれ、その中にすっぽりと収まる様に図形シンボル６１を複数個並べたときの配置状態によってキューシート３０を作成するための区画である。
【００７９】
ダウンロード用区画５４も矩形形状の区画で、その中にすっぽりと収まる様に図形シンボル６１を置くことによって、図形シンボル６１によって特定される投稿データをサーバ１０からダウンロードするための区画である。なお、この区画にダウンロードを行うとき、データの音声波形がダウンロードの進行に従って表示され（図６参照）、この表示完了した部分については音声を聴くことができる。
【００８０】
一時保管用区画５５は、ダウンロードの完了した投稿データを個別に特定するための図形シンボル６２を一時保管しておく区画である。
【００８１】
定型素材表示用区画５６は、放送番組において定型的に使用し得る定型素材を個別に特定するための図形シンボル７１を表示する区画である。なお、この定型素材表示用区画５６は、送出済みの定型用素材の図形シンボル７１を戻す区画にもなっている。
【００８２】
送出済みデータ保管区画５７は、他の区画に比べて小さな矩形形状の区画であり、送出済みのデータに対応する図形シンボル６３を戻す区画である。この送出済みデータ保管区画５７に図形シンボル６３を戻すのは、送出済みデータを再度送出したい場合がある可能性も考慮したものである。また、送出済みデータを確認したいときに利用することも考慮したものである。
【００８３】
こうして編集画面の区画表示を行ったら、続いて、ネットワーク２０介してサーバ１０に接続する（Ｓ２０）。そして、サーバ１０の内に記憶されている投稿データ１１の全部又は一部について、各投稿データ１１を個別に特定するための図形シンボル６１を、利用可能データ表示用区画５１からはみ出さない様に表示する利用可能データ表示ステップ（Ｓ３０）を実行する。この時点では、図形シンボル６１に対応する投稿データ１１はノートパソコン４０にはダウンロードされていない。従って、この利用可能データ表示ステップ（Ｓ３０）は、迅速に実行される。
【００８４】
こうして図形シンボル６１を利用可能データ表示区画５１に表示したら、次に、マウス４２が操作されていずれかの図形シンボル６１が指定されたか否かを判断する（Ｓ４０）。マウス４２の操作によっていずれかの図形シンボル６１が指定された場合は（Ｓ４０：ＹＥＳ）、当該図形シンボル６１をその後のマウス４２の操作状況にに応じて、ディスプレイ４１の表示領域内で移動させるシンボル移動ステップ（Ｓ５０）を実行する。
【００８５】
そして、マウス４２の操作によって、前記指定された図形シンボル６１がダウンロード用区画５４の中へすっぽりと収まる様に置かれたか否かを判断し（Ｓ６０）、すっぽりと収まる様に置かれたときは（Ｓ６０：ＹＥＳ）、当該図形シンボル６１によって個別に特定される投稿データ１１をサーバ１０からダウンロードするデータダウンロードステップ（Ｓ７０）を実行する。このステップでは、前述の通り、ダウンロードの進行に合わせて音声波形の表示を実行する。また、放送時間の計測も実行する。
【００８６】
また、このダウンロードが開始された後は、割り込み処理により、ダウンロードされている投稿データ１１の音声をヘッドフォン端子に出力する音声出力ステップ（図示略）が実行される。このとき、ヘッドフォン端子にヘッドフォンを接続しておけば、オフライン出力として内容を聴くことができる。
【００８７】
また、ダウンロードステップ（Ｓ７０）を実行した後、割り込み処理によって不要データとして非表示指定が指令された場合は、当該操作のあった図形シンボルを非表示状態とする不要シンボル非表示ステップ（図示略）が実行される。
【００８８】
また、前述の割り込み処理において、送出範囲指定の指令がされた場合は、当該図形シンボルの中に表示されている音声波形の図形中に送出範囲を図示し、当該範囲の放送時間の計測を行う送出範囲指定ステップ（図示略）を実行する。
【００８９】
割り込み処理が指令されずにマウス４２による移動操作が行われた場合は、図形シンボルの移動表示処理を実行する（Ｓ８０）。なお、この移動表示処理（Ｓ８０）においては、ダウンロードが完了していない投稿データの図形シンボルを移動しようとする操作であるときは、ブザー等による警告音を発して移動を禁止するダウンロード未済みデータ配置禁止ステップ（図示略）が実行される。当該警告に該当しない場合においては、一旦、一時保管区画４５に図形シンボル６２を保管する（Ｓ９０）。
【００９０】
このとき、マウス４２の操作によって着色指令がなされたときは（Ｓ１００：ＹＥＳ）、指令に従って図形シンボル６２を指令された色に着色する（Ｓ１１０）。
【００９１】
また、図形シンボル６２が移動されてキューシート作成用区画５２，５３のいずれかの中にはみ出すことなく並べられたときは（Ｓ１２０：ＹＥＳ）、当該図形シンボルによって個別に特定される投稿データ１１を送出用素材３１として認識する送出用素材認識ステップ（Ｓ１３０）を実行する。
【００９２】
続いて、キューシート作成用区画５２，５３の中の送出用素材として認識された投稿データを個別に特定するための図形シンボルの上辺の高さに応じて、上辺が高い位置にあるもの程先に送出する様に送出順序を決定する送出順序決定ステップ（Ｓ１４０）を実行する。
【００９３】
また、送出用素材として認識された個々の投稿データの放送時間の総和として総放送時間を、送出範囲の指定も考慮しつつ算出し、キューシート作成用区画５２，５３の上部の放送時間表示領域５２ａ，５３ａに表示する総放送時間算出・表示ステップ（Ｓ１５０）を実行する。
【００９４】
なお、図形シンボルが移動されてきて、キューシート作成用区画５２，５３に対して一部はみ出した状態のままで置かれたときは、該一部はみ出した図形シンボルを一時保管区画５５へと強制的に戻す強制戻しステップ（図示略）が実行される。
【００９５】
また、マウス４２の操作によってキューシート作成用区画５２，５３を上下方向に伸縮する指令がなされたときは、当該キューシート作成用区画５２，５３を指令に従って上下方向に伸縮する区画伸縮ステップ（図示略）も実行される。この区画伸縮ステップが実行されてキューシート作成用区画５２，５３の矩形形状が伸縮されたときは、該伸縮後の矩形形状によって特定される区画を当該キューシート作成用区画５２，５３とする区画サイズ変更ステップ（図示略）も実行される。こうして矩形形状が伸縮された結果は、送出用素材としての認定処理に反映される。従って、矩形形状が伸長され、当該伸長された部分に置かれた図形シンボルに対応する投稿データは、送出用素材として認識され、送出順序決定及び総放送時間算出の対象とされる。
【００９６】
こうしてキューシートが作成できたら、キューシート作成用区画５２，５３の空き領域のどこかで所定のマウスクリックがなされたか否かを判断する（Ｓ１６０）。当該操作がなされたときは送出開始指令と判定し、その時点でキューシート作成用区画に並べられている図形シンボルの配置から決定する送出順序に従って、送出用素材を順次送出する送出実行ステップ（Ｓ１７０）を実行する。
【００９７】
一方、送出開始後にキューシート作成用区画５２，５３の空き領域のどこかで所定のマウスクリックがなされたときは（Ｓ１８０：ＹＥＳ）、送出中止指令と判定し、その時点で送出開始時期に到っていない送出用素材については、送出を開始しない様に制御する中止・中断ステップ（Ｓ１９０）を実行する。
【００９８】
なお、本編集処理プログラムには、図示を省略したが、「利用可能データ表示用区画５１内でのマウスをクリックすることによって新着情報の確認指令をサーバ１０に対して送信する新着情報確認指令ステップ」、及び「サーバ１０から新着情報ありの返信を受け取ったときに、新着情報を特定するための図形シンボルを利用可能データ表示用区画５１に表示する新着情報特定シンボル表示ステップ」も備えられている（実施例の図２０参照）。
【００９９】
また、送出開始後にキューシート作成用区画内５２，５３において、現在送出が行われている最中の送出用素材の図形シンボルよりも上端が下方となる位置については、新たな図形シンボルを追加し、又は既にある図形シンボルを撤去することを許可するシンボル追加・撤去許可ステップ（図示略）も割り込み処理によって実行可能に構成されている。このシンボル追加・撤去許可ステップにより許可されて図形シンボルの追加又は撤去が実行されたときは、送出用素材認識ステップ、送出順序決定ステップ及び総放送時間算出・表示ステップを再度実行させるキューシート変更ステップ（図示略）を実行する。
【０１００】
また、前述の編集処理プログラムに加えて、さらに以下のコンピュータ可読形式の編集前処理プログラムもインストールされている。
【０１０１】
当該プログラムは、図４に示す様に、ネットワーク２０を介して、サーバ１０の投稿フォルダ１２に記憶されている投稿データ１１のリストアップをするリストアップステップ（Ｓ３１０）と、リストアップステップ（Ｓ３１０）によってリストアップされた投稿データをダウンロードしてオフライン出力する確認出力ステップ（Ｓ３２０）と、リストアップされた投稿データに対して、放送番組のキューシート作成に利用可能か否かのチェックマークを付与するチェックマーク付与ステップ（Ｓ３３０）と、投稿データを個別に特定する図形シンボルに対して、文字情報によるコメントを付加するコメント付加ステップ（Ｓ３４０）とからなる。
【実施例】
【０１０２】
次に、本発明の具体的実施例として、「２００５年度上期未踏ソフトウェア創造事業  ソーシャル・ネットワーキング型ラジオ番組のシステム開発  簡易マニュアル」を説明する。
【０１０３】
まず、実施例のシステム構成等について要点を記載する。
【０１０４】
０．システム構成
［特徴］
・数時間かかっていた作業を一瞬で
・紙のように音声を差し替え可能
［電話投稿受付（図５参照）］
・直感的ガイダンスで人々の言葉を引き出す
・ＶｏｉｃｅＸＭＬ技術を使い音声をサーバに記録
・録音レベル確認機能
・ボイスレコーダでの録音にも対応
［音声素材管理（図６参照）］
・ウェブブラウザで共同作業できる
・番組スタッフが自宅で準備できる
・素材へのメモ付与、分類、編集
［素材送出（図７参照）］
・インターネットでサーバに接続
・どこからでも素材にアクセス可能
・直感的な操作
・クリックとドラッグだけの作業
・ＣＤプレイヤー感覚で使える
・放送中に新たな投稿を受信可能
・不要な区間を取り除く編集機能
・未検聴素材を送出しない安全性
【０１０５】
１．  電話投稿受付機能
株式会社ボイスバンクが運用するＶｏｉｃｅＸＭＬ処理系  Ｐｌｕｍ  Ｖｏｉｃｅ  Ｐｏｒｔａｌを使用し、ＰＨＰ言語で実装されたサーバサイドスクリプトが動的にＶｏｉｃｅＸＭＬドキュメントを生成する。処理は以下の流れで構成されている：
【０１０６】
＊  グリーティング
「オラビーへようこそ」という音声メッセージを再生し、発信者番号の取得、セッション開始時刻に基づくセッションＩＤの生成を行う。
【０１０７】
＊  番組アクセス番号入力
「５桁の番組アクセスナンバーを入力してください」という音声ガイドに続いて、電話機による数字入力を行わせる。１０秒以内に入力が完了しなかった場合には、数字入力が困難であると判断し、デフォルト番号として「０００００」が入力されたと見なす。
【０１０８】
＊  番組アクセス番号確認
入力された番組アクセス番号に対応する音声保存用ディレクトリがサーバに存在するかどうかを判断し、無効な番号が入力された場合にはエラーメッセージを返し、回線を切断する。
【０１０９】
＊  マイクテスト開始
「これからマイクテストを行います」という音声ガイドに続いて、電話音声を録音させる。録音は１０秒間の無音または「＃」を押すことによって終了する。なお、番組アクセス番号が「０００００」である場合は、「５桁の番組アクセスナンバーと番組の名前を、音声で録音してください」という音声ガイドを行い、素材の仕分けに必要な情報をマイクテスト音声ファイルに録音させる。
【０１１０】
＊  マイクテスト終了と音量チェック
録音された音声ファイルを分析し、録音時間を「約３０秒でした」のように音声で提示する。またＰＨＰ言語から呼び出される外部プログラム（ｓｏｘ  および  ｍｍｍｐｅａｋ）によって音量レベルのチェックを行う。レベルオーバーが生じた場合には、「声が大きすぎて音が割れています」という音声ガイドを行う。続いて、録音された音声を再生し、確認させる。レベルオーバーが起こらなくなるまで繰り返しマイクテストを行わせる。
【０１１１】
＊  本番録音開始
「次は本番です」「あなたのお名前、あなたの今いる場所、メッセージの順番でお話ください」などの音声ガイドに続いて、本番の録音を行わせる。録音時間は最大２分間であるとガイドを行い、実際には１４０秒を録音時間の上限とする。
【０１１２】
＊  本番録音終了
「あなたのメッセージが登録されました」という音声ガイドを行い、録音された音声を再生して検聴させる。また、マイクテストと同様に録音時間の報告とレベルオーバーの確認を行い、レベルオーバーが起きた場合には「音が割れていますが一応登録しました」というアナウンスを行う。作業が終了したら電話回線を切断する。
【０１１３】
保存される音声ファイル名は以下の命名規則に従い、５桁の番組アクセス番号と同一の名前のサブディレクトリに保存される。
【０１１４】
１：ファイル名は「セッションＩＤ」＋「サフィックス」で構成される。
【０１１５】
２：セッションＩＤ  はアンダーライン（  ＿  ）  で区切られた文字列である。
例：７７７０１＿００１＿２００６０１２４＿１００４１１＿０９０９１２３４５６７
ただし、先頭から順に各構成要素は以下の内容を表す：
要素１：  番組アクセスナンバー
要素２：  ユーザＩＤ（電話の場合は回線番号００１−０９９）
要素３：  日付（ｙｙｙｙｍｍｄｄ）  
要素４：  時刻  （ｈｈｍｍｓｓ）
・日付と時刻は「セッション開始時刻」である。
要素５：  発信者番号（電話番号）
・番号非通知の場合は  ’０’  となる。ボイスレコーダ投稿の場合は  ’ｘ’  となる
【０１１６】
３：サフィックスには以下の種類がある。
．ｍｅｔａ：  メタファイル（電話投稿時に音声分析結果を保存するテキストファイル）
．ｍｅｍｏ：  メモファイル（投稿者名や内容などを保存するテキストファイル）
．ｓｈａｐｅ：  波形ファイル（音声波形の情報を保存するテキストファイル）
＿ｔｅｓｔ［１−９］．ｗａｖ：電話投稿の場合のマイクテスト録音の音声ファイル
＿ｆｉｎ．ｗａｖ：電話投稿の場合の本番音声ファイル（８ｋＨｚ  μ−ｌａｗ  ＰＣＭ）
＿ｆｉｎ．ｗａｖ．ｄｅｌｅｔｅｄ：電話投稿の場合の本番音声ファイル（キープ状態）
＿ｆｉｎ．ｍｐ３：ボイスレコーダ投稿の場合のｍｐ３音声ファイル
＿ｆｉｎ．ｍｐ３．ｄｅｌｅｔｅｄ：ボイスレコーダ投稿の場合のｍｐ３音声ファイル（キープ状態）
（キープ状態については後述する）
【０１１７】
２．  音声素材管理機能（ＨｏｌｄＳｔａｔｉｏｎ）
ユーザがウェブブラウザで投稿された音声素材の確認、メモ付与、分類、編集などができる環境を実現する。ＰＨＰ言語で実装されたサーバサイドスクリプトが動的にＨＴＭＬドキュメントを生成する。以下に画面例と機能の概要を示す。
【０１１８】
画面１（図８参照）：
ＨｏｌｄＳｔａｔｉｏｎの画面。
上部には素材送出機能（ＣａｓｔＳｔｕｄｉｏ）の起動ボタンがある。また、右側の番組アクセス番号入力ボックスを使用し、他の素材リストに移動することができる。
素材リストには左から順に、投稿された日時と投稿者の電話番号、音声再生機能、サイズ、キープ機能、名前入力ボックス、内容入力ボックス、分類が表示されている。
音声再生機能は  Ａｐｐｌｅ  ＱｕｉｃｋＴｉｍｅ  プラグインによって実現されている。サイズはサーバに蓄積されている音声ファイルのバイト数を示すと同時に、音声ファイルへのリンクになっており、ブラウザのファイル保存操作によって音声ファイルをダウンロードすることができる。
キープ機能はチェックボックスとなっており、ひとつまたは複数の素材にチェックをして「ｍｏｄｉｆｙ」ボタンを押すことにより、指定された素材を「キープ状態」にすることができる。キープ状態の素材はＣａｓｔＳｔｕｄｉｏでは表示されない。
名前入力ボックスおよび内容入力ボックスは、素材に投稿者の名前と内容のコメントを付与するための機能である。ひとつまたは複数の素材について入力を行った後「Ｍｏｄｉｆｙ」ボタンを押すことによって更新が行われる。入力された内容は全ユーザに共有される。
分類は”ｍｅｓｓａｇｅ”または”ｓｔｉｃｋｅｒ”の２種類が存在する。ｓｔｉｃｋｅｒに分類された素材は、ＣａｓｔＳｔｕｄｉｏにおいて通常の素材（ｍｅｓｓａｇｅ）と比べて小さな箱として表示され、起動時に自動的に音声データの読み込みが行われる。また、この分類の表示は「詳細表示画面」へのリンクになっている。
【０１１９】
画面２（図９参照）：
ＨｏｌｄＳｔａｔｉｏｎの詳細画面。
一覧画面で表示される情報に加えて、マイクテストの音声を聴取することができる。また、「移動先番号」を入力して「Ｍｏｄｉｆｙ」ボタンを押すことにより、素材を他の番組アクセス番号のフォルダに移動することができる。一覧表示と同様に「キープ」「名前」「内容」の修正も可能である。
【０１２０】
画面３（図１０参照）：
ＨｏｌｄＳｔａｔｉｏｎのアップロード画面。
「参照」ボタンを押し、ＰＣ上のファイルを選択し、「アップロード」ボタンを押すことでファイルのアップロードが行われる。現在はｍｐ３形式およびｗａｖ形式の音声ファイルに対応している。アップロードが可能なファイルのサイズは２ＭＢ以内であるが、これはＰＨＰ言語の実行環境の設定に基づくものである。
【０１２１】
３．素材送出機能（ＣａｓｔＳｔｕｄｉｏ）
ユーザがＨｏｌｄＳｔａｔｉｏｎのウェブ画面からＣａｓｔＳｔｕｄｉｏ起動ボタンを押すことで、ＨｏｌｄＳｔａｔｉｏｎで表示中の素材リストに対応した素材送出機能（ＣａｓｔＳｔｕｄｉｏ）を呼び出せる。ＣａｓｔＳｔｕｄｉｏはＪａｖａ（登録商標）  言語で開発されており、Ｊ２ＳＥ  （Ｊａｖａ（登録商標）  ２  Ｓｔａｎｄａｒｄ  Ｅｄｉｔｉｏｎ）  ５．０，  ＪＭＦ  （Ｊａｖａ（登録商標）  Ｍｅｄｉａ  Ｆｒａｍｅｗｏｒｋ）  ２．１．１ｅ，  Ｊａｖａ（登録商標）  ＭＰ３  Ｐｌｕｇ−ｉｎ  １．０  を用いている。現時点では  Ｗｉｎｄｏｗｓ（登録商標）  ＸＰに対応しているが、他のＯＳ環境への対応も容易である。
【０１２２】
ウェブブラウザからのＣａｓｔＳｔｕｄｉｏ起動にはＪａｖａ（登録商標）  Ｗｅｂ  Ｓｔａｒｔの技術を用いている。これにより、ＣａｓｔＳｔｕｄｉｏのバージョンアップが行われた場合にも、ユーザの手を煩わせることなく、自動的にアプリケーションの最新版がサーバからダウンロードされて実行される。
ＣａｓｔＳｔｕｄｉｏは起動時にＨｏｌｄＳｔａｔｉｏｎから素材ファイル一覧リストを取得する。このリストはＲＳＳ  ２．０  （Ｒｅａｌｌｙ  Ｓｉｍｐｌｅ  Ｓｙｎｄｉｃａｔｉｏｎ）  に準拠したＸＭＬファイルである。
【０１２３】
ＣａｓｔＳｔｕｄｉｏのユーザインタフェースはＪａｖａ（登録商標）の基本的な描画機能であるＡＷＴ  （Ａｂｓｔｒａｃｔ  Ｗｉｄｇｅｔ  Ｔｏｏｌｋｉｔ）  のみを使用して実装されている。すべての操作は、素材ボックスをマウスでドラッグして配置し、キューシートなどの画面構成要素をクリックする、といった単純な操作のみで実行できる。以下に画面例と機能の概要を示す。
【０１２４】
画面４（図１１参照）：
ＣａｓｔＳｔｕｄｉｏの起動画面。
左側の２つの矩形は「キューシート」、中央の青い矩形は「インスペクタ」、右側の灰色の矩形は「ポーター」と呼ばれる。ポーターはサーバとの通信の役割を担っており、起動時にサーバに蓄積された素材を「アイテム」と呼ばれる矩形として表示する。
アイテムにはＨｏｌｄＳｔａｔｉｏｎで入力された「投稿者名」および「内容」が表示される。起動直後には各アイテムの音声データは読み込みが行われておらず、再生することはできない。そのことを示すために、アイテムは灰色がかった色で表示される。
【０１２５】
画面５（図１２参照）：
ＣａｓｔＳｔｕｄｉｏにおいてアイテムをインスペクタに乗せた状態。
これによりアイテムの音声再生に必要な情報がサーバから取得される（内部処理としてはＪａｖａ（登録商標）  Ｍｅｄｉａ  Ｆｒａｍｅｗｏｒｋの音声再生オブジェクトのｐｒｅｌｏａｄが実行される）。それと同時に、サーバから音声波形の情報（ｓｈａｐｅファイル）をダウンロードする。ｓｈａｐｅファイルはＨｏｌｄＳｔａｔｉｏｎのＰＨＰスクリプトから呼び出された外部プログラム（ｆｆｍｐｅｇ，  ｓｏｘ，  ｍｍｍｐｅａｋ）によって生成される。一度生成されたｓｈａｐｅファイルはサーバに保存され、次回の要求があった場合に再利用される。
なお、インスペクタに同時に置くことができるアイテムは１つだけであり、２個目のアイテムをインスペクタに乗せようとした場合、その移動操作はキャンセルされ、アイテムは自動的に元の位置に戻される。
【０１２６】
画面６（図１３参照）：
ＣａｓｔＳｔｕｄｉｏにおいてインスペクタ上のアイテムの読み込みが完了した状態。
インスペクタの色は、読み込み中は赤に、読み込みが完了すると明るい灰色に変化する。ｓｈａｐｅファイルに基づいて画面上部に音声波形シートが描画される。
【０１２７】
画面７（図１４参照）：
ＣａｓｔＳｔｕｄｉｏにおいてインスペクタ上のアイテムの再生（検聴）を行っている状態。音声の再生は、インスペクタの余白（アイテム以外の部分）をクリックすることで開始し、再度クリックすることで停止する。再生中はインスペクタの色は緑に変化する。また、再生中の箇所を音声波形シート上の赤い縦線によって示す。
音声波形シート上で左クリックを行うと再生開始ポイントを、右クリックを行うと再生終了ポイントを、それぞれ指定することができる。範囲指定されたアイテムの再生時間はアイテムの下部に表示される。
アイテムにおいて、キーボードのシフトキーを押しながら左クリックおよび右クリックをすることで、当該アイテムの再生時のゲインを＋１ｄＢおよび−１ｄＢずつ変更することができる。ゲインの値はアイテムの下部に表示される。
アイテム中央の矩形（範囲表示ボックス）は再生開始ポイントと再生終了ポイントを簡易的に表示している。また、再生中のアイテムの範囲指定ボックスはピンク色になる。
【０１２８】
画面８（図１５参照）：
ＣａｓｔＳｔｕｄｉｏにおいてインスペクタの外にアイテムを移動した状態。
アイテムを右クリックすることで、アイテムの色を５種類に変更することができる。使用可能な色は、白、黄色、緑、水色、赤である。アイテムの色は再生機能とは関係がなく、色分けはユーザがアイテムの識別を容易にするための機能である。
【０１２９】
画面９（図１６参照）：
ＣａｓｔＳｔｕｄｉｏにおいて色分けされた５つのアイテムを表示した状態。
インスペクタおよびキューシートと一部分でも重なりを持たないような箇所であれば、作業途中のアイテムを任意の場所に自由に置いておくことができる。
なお、インスペクタおよびキューシートと一部分だけ重なりを持つような箇所にアイテムを移動した場合には、その移動操作は無効と判断され、アイテムは移動前の箇所に自動的に戻される。
【０１３０】
画面１０（図１７参照）：
ＣａｓｔＳｔｕｄｉｏにおいて上下のキューシートにアイテムを配置した状態。
ただし緑のアイテムは現在マウスのドラッグ操作によって移動中である。
アイテムをキューシートに完全に包含されるような位置に移動すると、そのアイテムはキューシートの構成要素として判定される。キューシート上部には、赤い大きな文字で表示された「残り時間」と、青い文字で表示された「経過時間／合計時間」の表示がある。キューシートにアイテムを配置すると自動的に残り時間および合計時間が再計算されて表示される。
上下２つのキューシートの機能はまったく同じである。
キューシート内の素材は、アイテムの矩形の上辺の上下の位置関係によって再生順序が決定される。
キューシートに１つでも構成要素が存在する場合には、キューシートの色は青から灰色に変化し、キューシートが再生可能であることをユーザに示す。
なお、インスペクタにて読み込みを行った素材はキューシートに配置可能であるが、読み込みを行っていない状態の素材はキューシートに置くことができない。そのような移動操作はキャンセルされ、アイテムは元の位置に戻される。
【０１３１】
画面１１（図１８参照）：
ＣａｓｔＳｔｕｄｉｏにおいて上のキューシートを再生した状態。
キューシートの余白（アイテムのない部分）を左クリックすることで、キューシートの再生が開始され、アイテムが上から下に向かって順番に再生される。再生中のキューシートの色は緑色に変化する。
再生中のキューシートをさらに左クリックすることで、再生を中止することができる。
なお、上下のキューシートは同時に再生することも可能である。
キューシート内のどの素材が現在再生されているかは、アイテムの範囲表示ボックスの色が灰色からピンク色に変化することで示される。
再生中のキューシートの未再生アイテムはキューシートの外に移動することができ、当該アイテムは再生をキャンセルできる。
再生中のキューシートにおける再生済みのアイテムは自由にキューシートの外に移動することができる。
再生中のキューシートの再生中アイテムより上の位置に、当該キューシートの外からアイテムを移動することはできない。再生中のキューシートの再生中アイテムよりも下の位置に、当該キューシートの外からアイテムを移動した場合は、その移動は有効となり、残り時間および合計時間の再計算が行われる。また、追加されたアイテムを含めて、未再生のアイテムは配置された位置に応じた順序で再生される。
再生中のキューシートの中で素材の上下関係を並べ替えることはできない。いったんキューシートの外に出したアイテムを、元のキューシートの再生中のアイテムよりも下に配置することは可能である。
【０１３２】
画面１２（図１９参照）：
ＣａｓｔＳｔｕｄｉｏにおいて上のキューシートの再生が完了した状態。
ユーザのクリック操作によってではなく、すべてのアイテムの再生が終了したことによってキューシート全体の再生が完了した場合は、キューシート内のアイテムは画面中央下部の「リサイクラー」に自動的に移動する。リサイクラーに移動したアイテムは再度利用することが可能である。
【０１３３】
画面１３（図２０参照）：
ＣａｓｔＳｔｕｄｉｏにおいて新たなアイテムがポーターに読み込まれた状態。
画面右側の矩形（ポーター）の余白（アイテムがない部分）を左クリックすると、マウスカーソルが一瞬砂時計になり、サーバとの通信が行われ、マウスカーソルが元の矢印の形状に戻る。サーバとの通信の結果、新たなアイテムの存在が確認された場合は、そのアイテムをオレンジ色でポーターに表示する。
【０１３４】
画面１４（図２１参照）：
ＨｏｌｄＳｔａｔｉｏｎから「ミックスモード」を選択してＣａｓｔＳｔｕｄｉｏを起動した状態。
ミックスモードとは、複数の素材ボックスのアイテムを同時にＣａｓｔＳｔｕｄｉｏで使用するためのモードである。その際、ｓｔｉｃｋｅｒに分類されるアイテムが含まれている場合は、ＣａｓｔＳｔｕｄｉｏは起動時にｓｔｉｃｋｅｒの読み込みを行い、画面中央上部の「ステッカーホルダーシート」に「ステッカーアイテム」として表示する。
ステッカーアイテムは通常のアイテム（メッセージアイテム）と同様にキューシートに配置し再生することができる。
キューシートの再生が完了した場合に、メッセージアイテムはリサイクラーに自動的に移動するが、ステッカーアイテムはステッカーホルダーシートに自動的に移動する。
【０１３５】
なお、実施例としてラジオ放送番組編集処理装置を採用したのは、以下の理由による。
【０１３６】
［ラジオの利点］
・手軽に受信できる
・即時性、機動力
・災害時の有効性
・何かをしながら聴取できる
・想像力で時間と空間を共有
【０１３７】
［ラジオ放送の現状］
・制作現場の「制度疲労」
・つぎはぎだらけの機材
・無駄な時間拘束
・検聴に手間がかかる
・肉声を手軽に放送できない
【０１３８】
［提案＝ＦＡＸや電子メールのように生の声を］
・リスナーの生の声がどんどん流れるとラジオ放送は活性化するはず
・ラジオの制作現場で数時間以上の手間がかかっていた作業を効率化
・ディレクターが生放送中に、受信・検聴して簡単に送出できるように
【０１３９】
［声の投稿番組を］
・コミュニティＦＭ放送局
・インターネット放送
・ポッドキャスト
・地域、企業、教育
【０１４０】
［実施例の効果］
実際の埼玉県入間市の株式会社エフエム茶笛の協力により、６０分の生放送で４回の実験放送を行ったところ、キューシートを途中で組み替える作業にも対応できた。これは、キューシートが確定的ではなく、暫定的なものとして管理されている結果といえる。即ち、従来技術の様に確定的にキューシートを作成する技術では、咄嗟の素材組み替えといった事態には対処が困難なのに対し、本発明を具体化した実施例では、キューシート作成用区画内で未送出の素材を撤去したり、入れ替えたりすることが自由にできる結果として、咄嗟の素材差し替えにも対応できるのである。これにより、生放送中に投稿された音声メッセージを検聴して直ちにオンエアするといったことにも対応可能な技術であることが確認できたといえる。
【０１４１】
以上、発明を実施するための最良の形態としての一実施形態を説明したが、本発明は、これに限定されるものではなく、その要旨を逸脱しない範囲内における種々の変更が可能である。
【０１４２】
例えば、ラジオ放送番組編集用ではなく、テレビジョン放送番組編集用として構成し、音声メッセージに代えて、ムービーメッセージを送出用素材とするキューシートの作成装置として構成することもできる。
【図面の簡単な説明】
【０１４３】
【図１】実施形態のシステム構成を示す概念図である。
【図２】実施形態における画面表示の様子を示す概念図である。
【図３】実施形態においてノートパソコンにインストールされるラジオ番組編集処理プログラムのフローチャートである。
【図４】実施形態においてノートパソコンにインストールされる編集前処理プログラムのフローチャートである。
【図５】実施例のシステム構成を示す概念図である。
【図６】実施例の音声素材管理の概念を示すイメージ図である。
【図７】実施例の送出素材の概念を示すイメージ図である。
【図８】実施例の画面１のイメージ図である。
【図９】実施例の画面２のイメージ図である。
【図１０】実施例の画面３のイメージ図である。
【図１１】実施例の画面４のイメージ図である。
【図１２】実施例の画面５のイメージ図である。
【図１３】実施例の画面６のイメージ図である。
【図１４】実施例の画面７のイメージ図である。
【図１５】実施例の画面８のイメージ図である。
【図１６】実施例の画面９のイメージ図である。
【図１７】実施例の画面１０のイメージ図である。
【図１８】実施例の画面１１のイメージ図である。
【図１９】実施例の画面１２のイメージ図である。
【図２０】実施例の画面１３のイメージ図である。
【図２１】実施例の画面１４のイメージ図である。
【符号の説明】
【０１４４】
１０・・・サーバ
１１・・・投稿データ
１２・・・投稿フォルダ
２０・・・ネットワーク
３０・・・キューシート
３１・・・送出用素材
４０・・・ノートパソコン
４１・・・液晶ディスプレイ
４２・・・マウス
４３・・・キーボード
５１・・・利用可能データ表示用区画
５２，５３・・・キューシート作成用区画
５４・・・ダウンロード用区画
５５・・・一時保管用区画
５６・・・定型素材表示用区画
５７・・・送出済みデータ保管区画
６１〜６３・・・投稿データを特定する図形シンボル
７１・・・ジングルを特定する図形シンボル
【図１】
2007251829.tif 000003
【図２】
2007251829.tif 000004
【図３】
2007251829.tif 000005
【図４】
2007251829.tif 000006
【図５】
2007251829.tif 000007
【図６】
2007251829.tif 000008
【図７】
2007251829.tif 000009
【図８】
2007251829.tif 000010
【図９】
2007251829.tif 000011
【図１０】
2007251829.tif 000012
【図１１】
2007251829.tif 000013
【図１２】
2007251829.tif 000014
【図１３】
2007251829.tif 000015
【図１４】
2007251829.tif 000016
【図１５】
2007251829.tif 000017
【図１６】
2007251829.tif 000018
【図１７】
2007251829.tif 000019
【図１８】
2007251829.tif 000020
【図１９】
2007251829.tif 000021
【図２０】
2007251829.tif 000022
【図２１】
2007251829.tif 000023